(57)【要約】【課題】圧力開放弁の開裂に際して破片が飛散することを抑制することのできる蓄電装置を提供する。【解決手段】二次電池の圧力開放弁２０では、直線溝３６，３７に沿って延長し、圧力開放弁２０の周縁と交差する仮想直線Ｙ１，Ｙ２を想定したとき、仮想直線Ｙ１，Ｙ２と圧力開放弁２０の周縁とによって囲まれる領域Ｓ１，Ｓ２，Ｓ３，Ｓ４が想定される。領域Ｓ３，Ｓ４の組の面積が、領域Ｓ１，Ｓ２の組の面積より大きい。直線溝３６，３７の端部３６ａ，３７ｂ付近に延設されている端部溝３２，３３と、直線溝３６，３７の端部３７ａ，３６ｂ付近に延設されている端部溝３２，３３とが互いに接近する方向に同一の領域Ｓ３，Ｓ４内で延設されている。端部溝３２，３３に沿って延長する仮想線Ｙ３ａ，Ｙ４ａと仮想線Ｙ３ｂ，Ｙ４ｂとは、直線状に繋がる。【選択図】図２
2015088382.tif 000002
【特許請求の範囲】
【請求項１】
電極組立体が収容されたケースに、当該ケース内の圧力をケース外に開放させる圧力開放弁を有する蓄電装置において、
前記圧力開放弁は、交差溝と、前記交差溝の端部付近に延設されている端部溝とを有し、
前記交差溝に沿って延長し、前記圧力開放弁の周縁と交差する仮想直線を想定したとき、前記仮想直線と前記圧力開放弁の周縁とによって囲まれる領域であって、かつ前記交差溝の交差部分を挟んで対向する一対の領域の組が２組想定され、
前記２組の一対の領域の組のうち、一方の組である第１の組の面積が他方の組である第２の組の面積以上であり、
前記第１の組の１つの領域を区画する前記仮想直線に沿う前記交差溝の各端部付近には、前記端部溝が互いに接近する方向に同一の前記領域内でそれぞれ延設されており、
前記端部溝に沿って延長する仮想線を想定したときに、前記仮想線は直線状に繋がることを特徴とする蓄電装置。
【請求項２】
前記端部溝は前記交差溝の端部に繋がっている請求項１に記載の蓄電装置。
【請求項３】
前記圧力開放弁は周縁に直線部を含み、
前記端部溝は、各端部のうち、前記交差溝の端部から離間する側の端部に位置している直線溝を含み、
前記直線溝は前記直線部に沿っている請求項１又は請求項２に記載の蓄電装置。
【請求項４】
前記端部溝は、弧溝と直線溝とを含み、前記端部溝の各端部のうち、前記交差溝の端部から離間する側の端部に前記直線溝が位置している請求項１〜３のうち何れか一項に記載の蓄電装置。
【請求項５】
前記蓄電装置は、二次電池である請求項１〜請求項４のうち何れか一項に記載の蓄電装置。
【発明の詳細な説明】
【技術分野】
【０００１】
この発明は、蓄電装置に関する。
【背景技術】
【０００２】
ＥＶ（Electric Vehicle）やＰＨＶ（Plug in Hybrid Vehicle）などの車両には、原動機となる電動機への供給電力を蓄える蓄電装置としてリチウムイオン電池などの二次電池が搭載されている。二次電池は、例えば、特許文献１に記載されるように、金属箔に負極活物質を塗布した負極電極と金属箔に正極活物質を塗布した正極電極との間をセパレータで絶縁し、層状に積層した電極組立体を有する。そして、二次電池のケースには電極組立体と電解液が収容されており、ケースの壁面にはケース内の圧力をケース外に開放させる圧力開放弁が設けられている。
【先行技術文献】
【特許文献】
【０００３】
【特許文献１】特許第４８８１４０９号
【発明の概要】
【発明が解決しようとする課題】
【０００４】
圧力開放弁の弁体には、ケース内の圧力が所定圧に達したときに弁体の開裂を促進させる開裂溝が設けられている。例えば、図５に示すように、特許文献１に記載の圧力開放弁３２０には、弁体３２１の表面３２１ａの中央に中央溝３３１が延設されている。中央溝３３１は、直線状に延びる一本の直線溝３３１ａと、直線溝３３１ａの両端部のそれぞれから斜め方向に延在する２本の直線溝３３６，３３７とで構成されている。そして、弁体３２１では、各直線溝３３６，３３７の端部３３６ａ，３３７ａから、それぞれ弧溝３３２，３３３が延設されている。
【０００５】
特許文献１に記載の圧力開放弁３２０では、弁体３２１が開裂する際に、弧溝３３２を延長する仮想線Ｙ１３ａ，Ｙ１３ｂに沿って折れ曲がるとともに、弧溝３３３を延長する仮想線Ｙ１４ａ，Ｙ１４ｂに沿って折れ曲がることになる。ここで、仮想線Ｙ１３ａ，Ｙ１３ｂ及び仮想線Ｙ１４ａ，Ｙ１４ｂはそれぞれ円弧状に交差しているため、折り曲げ線が円弧状となり、折り曲げ線に沿って応力が集中しやすくなる。そして、弁体３２１が切断されやすくなるため、図６に示すように破片が飛散するおそれがある。
【０００６】
この発明は、このような従来の技術に存在する問題点に着目してなされたものであり、その目的は、圧力開放弁の開裂に際して破片が飛散することを抑制することのできる蓄電装置を提供することにある。
【課題を解決するための手段】
【０００７】
上記課題を解決するための蓄電装置は、電極組立体が収容されたケースに、当該ケース内の圧力をケース外に開放させる圧力開放弁を有するものである。そして、蓄電装置では、圧力開放弁は、交差溝と、交差溝の端部付近に延設されている端部溝とを有し、交差溝に沿って延長し、圧力開放弁の周縁と交差する仮想直線を想定したとき、仮想直線と圧力開放弁の周縁とによって囲まれる領域であって、かつ交差溝の交差部分を挟んで対向する一対の領域の組が２組想定される。また、蓄電装置では、前記２組の一対の領域の組のうち、一方の組である第１の組の面積が他方の組である第２の組の面積以上であり、前記第１の組の１つの領域を区画する仮想直線に沿う交差溝の各端部付近には、端部溝が互いに接近する方向に同一の前記領域内でそれぞれ延設されており、端部溝に沿って延長する仮想線を想定したときに、仮想線は直線状に繋がる。
【０００８】
上記構成によれば、圧力開放弁が開裂する際に、圧力開放弁が端部溝を延長する仮想線に沿って直線状に折れ曲がるようになる。このため、折り曲げ線が直線状となり、折り曲げ線に作用する応力が分散されるため、折り曲げ線に沿って圧力開放弁が切断されにくくなる。したがって、圧力開放弁の開裂に際して破片が飛散することを抑制することができる。
【０００９】
端部溝としては、例えば交差溝の端部に繋がっているものが好ましい。
圧力開放弁の開裂が交差溝から端部溝に伝わりやすくなるため、第１の組の領域での開放を促進させることができる。したがって、ケース内の圧力を迅速に開放させることができる。
【００１０】
圧力開放弁が周縁に直線部を含む場合では、端部溝としては、端部溝の各端部のうち、交差溝の端部から離間する側の端部に位置している直線溝を含み、直線溝が圧力開放弁の直線部に沿っているものが好ましい。
【００１１】
上記構成によれば、圧力開放弁の周縁に沿って圧力開放弁を開放させることができる。したがって、圧力開放弁の開口を大きくすることができ、ケース内の圧力を迅速に開放させることができる。
【００１２】
端部溝としては、弧溝と直線溝とを含み、端部溝の各端部のうち、交差溝の端部から離間する側の端部に直線溝が位置しているものが好ましい。
上記構成によれば、圧力開放弁が開裂する際に、端部溝の弧溝に沿って滑らかに圧力開放弁が折れ曲がるようになる。このため、圧力開放弁の開裂を促進させることができる。また、端部溝の直線溝が、端部溝の各端部のうち、交差溝の端部から離間する側の端部に位置しているため、圧力開放弁が開裂する際に直線溝に沿って折れ曲がるようになり、折り曲げ線に沿って切断されにくくなり破片が飛散することを抑制することができる。
【００１３】
上記蓄電装置において、前記蓄電装置の好適な例としては、二次電池を挙げることができる。
【発明の効果】
【００１４】
本発明によれば、圧力開放弁の開裂に際して破片が飛散することを抑制することができる。
【図面の簡単な説明】
【００１５】
【図１】二次電池の外観を示す斜視図。
【図２】弁体の表面を示す平面図。
【図３】別例における弁体の表面を示す平面図。
【図４】別例における弁体の表面を示す平面図。
【図５】従来の弁体の表面を示す平面図。
【図６】従来の弁体が開裂した際の弁体の表面を示す平面図。
【発明を実施するための形態】
【００１６】
以下、蓄電装置を具体化した一実施形態について図１及び図２を参照して説明する。
図１に示すように、蓄電装置としての二次電池１０は、ケース１１に電極組立体１２が収容されている。また、ケース１１には、電極組立体１２とともに電解液も収容されている。ケース１１は、有底筒状のケース本体１３と、ケース本体１３に電極組立体１２を挿入する開口部を閉塞する平板状の蓋体１４とからなる。ケース本体１３と蓋体１４は、何れも金属製（例えば、ステンレスやアルミニウム製）である。また、この実施形態の二次電池１０は、ケース本体１３が有底四角筒状であり、蓋体１４が矩形平板状であることから、その外観が角型をなす角型電池である。また、この実施形態の二次電池１０は、リチウムイオン電池である。
【００１７】
電極組立体１２は、正極電極、負極電極、及び正極電極と負極電極を絶縁するセパレータを有する。正極電極は、正極金属箔（アルミニウム箔）の両面に正極活物質を塗布して構成される。負極電極は、負極金属箔（銅箔）の両面に負極活物質を塗布して構成される。そして、電極組立体１２は、複数の正極電極と複数の負極電極を交互に積層するとともに、両電極の間にセパレータを介在した積層構造とされている。また、電極組立体１２には、正極端子１５と負極端子１６が電気的に接続されている。これらの正極端子１５と負極端子１６の各一部分は、蓋体１４からケース１１外に露出している。また、正極端子１５及び負極端子１６には、ケース１１から絶縁するためのリング状の絶縁リング１７ａがそれぞれ取り付けられている。
【００１８】
ケース１１の蓋体１４には、ケース１１（ケース本体１３）内に電解液を注入するための注液孔１４ｃが穿設されており、注液孔１４ｃは封止部材１９によって閉塞されている。また、ケース１１の蓋体１４には、ケース１１内の圧力が上昇し過ぎないように、ケース１１内の圧力が所定の圧力である開放圧に達した場合に開裂し、ケース１１内の圧力をケース１１外に開放させる圧力開放弁２０が設けられている。圧力開放弁２０の開放圧は、ケース１１自体やケース本体１３と蓋体１４の接合部に亀裂や破断などが生じ得る前に開裂し得る圧力に設定されている。そして、圧力開放弁２０は、蓋体１４の板厚よりも薄い薄板状の弁体２１を有する。弁体２１は、蓋体１４の表面１４ａに凹設された凹部２２の底に位置しており、蓋体１４と一体的に成形されている。すなわち、圧力開放弁２０は、弁体２１上の表面２１ａがケース１１の蓋体１４の表面１４ａの一部となっている。
【００１９】
図２に示すように、この実施形態の圧力開放弁２０は、全体が矩形状であり、且つ四隅が弧状の周縁を有する。すなわち、圧力開放弁２０の周縁は、一対の直線部２３，２４と一対の直線部２５，２６とを弧部２７，２８，２９，３０で繋いだ形状をなしている。なお、圧力開放弁２０の弁体２１は、圧力開放弁２０の周縁に沿っており、圧力開放弁２０と同様に、全体が矩形状であって、四隅が弧状となっている。
【００２０】
また、弁体２１は、表面２１ａに開裂溝を有する。開裂溝は、交差溝３１と、交差溝３１の端部から延設される２本の端部溝３２及び２本の端部溝３３と、直線部２３，２４に沿う２本の直線溝３４及び２本の直線溝３５と、からなる。この実施形態において、交差溝３１と、端部溝３２，３３と、直線溝３４，３５とは、何れも断面形状がＶ字状をなす溝である。
【００２１】
交差溝３１は、弁体２１の中央において交差部ＰでＸ字状に交差する２本の直線溝３６，３７からなる。直線溝３６，３７に沿って延長される仮想直線Ｙ１，Ｙ２は、圧力開放弁２０の周縁と交差する。なお、本実施形態の仮想直線Ｙ１，Ｙ２は、直線溝３６，３７を直線溝３６，３７の幅方向で二等分する線としてそれぞれ想定される仮想線である。
【００２２】
２本の端部溝３２は、直線溝３２ａ，３２ｃと、これら直線溝３２ａ，３２ｃの端部を繋ぐ弧溝３２ｂとからなる。２本の端部溝３３は、直線溝３３ａ，３３ｃと、これら直線溝３３ａ，３３ｃの端部を繋ぐ弧溝３３ｂとからなる。
【００２３】
２本の端部溝３２のうち、一方の端部溝３２の直線溝３２ａは、直線溝３６の一方の端部３６ａに繋がっており、端部３６ａから直線部２５に近づく方向に直線部２３に沿って延在している。また、２本の端部溝３２のうち、他方の端部溝３２の直線溝３２ａは、直線溝３７の一方の端部３７ａに繋がっており、端部３７ａから直線部２５に近づく方向に直線部２４に沿って延在している。
【００２４】
２本の端部溝３２のうち、一方の端部溝３２の弧溝３２ｂは、直線溝３２ａの端部のうちで直線溝３６の端部３６ａと繋がる端部とは反対側の端部と繋がっており、この直線溝３２ａの端部から弧部２７に沿って弧状に延在している。また、２本の端部溝３２のうち、他方の端部溝３２の弧溝３２ｂは、直線溝３２ａの端部のうちで直線溝３７の端部３７ａと繋がる端部とは反対側の端部と繋がっており、この直線溝３２ａの端部から弧部２８に沿って弧状に延在している。
【００２５】
２本の端部溝３２のうち、一方の端部溝３２の直線溝３２ｃは、弧溝３２ｂの端部から直線部２４に近づく方向に直線部２５に沿って延在している。また、２本の端部溝３２のうち、他方の端部溝３２の直線溝３２ｃは、弧溝３２ｂの端部から直線部２３に近づく方向に直線部２５に沿って延在している。そして、これら２本の端部溝３２の直線溝３２ｃは、互いに接近する方向に延設されている。
【００２６】
２本の直線溝３４のうち、一方の直線溝３４は、直線溝３２ａの端部のうちで直線溝３６の端部３６ａと繋がる端部と繋がっており、この直線溝３２ａの端部から直線部２６に近づく方向に直線部２３に沿って延在している。２本の直線溝３４のうち、他方の直線溝３４は、直線溝３２ａの端部のうちで直線溝３７の端部３７ａと繋がる端部と繋がっており、この直線溝３２ａの端部から直線部２６に近づく方向に直線部２４に沿って延在している。
【００２７】
２本の端部溝３３のうち、一方の端部溝３３の直線溝３３ａは、直線溝３７の一方の端部３７ｂに繋がっており、端部３７ｂから直線部２６に近づく方向に直線部２３に沿って延在している。また、２本の端部溝３３のうち、他方の端部溝３３の直線溝３３ａは、直線溝３６の一方の端部３６ｂに繋がっており、端部３６ｂから直線部２６に近づく方向に直線部２４に沿って延在している。
【００２８】
２本の端部溝３３のうち、一方の端部溝３３の弧溝３３ｂは、直線溝３３ａの端部のうちで直線溝３７の端部３７ｂと繋がる端部とは反対側の端部と繋がっており、この直線溝３３ａの端部から弧部２９に沿って弧状に延在している。また、２本の端部溝３３のうち、他方の端部溝３３の弧溝３３ｂは、直線溝３３ａの端部のうちで直線溝３６の端部３６ｂと繋がる端部とは反対側の端部と繋がっており、この直線溝３３ａの端部から弧部３０に沿って弧状に延在している。
【００２９】
２本の端部溝３３のうち、一方の端部溝３３の直線溝３３ｃは、弧溝３３ｂの端部から直線部２４に近づく方向に直線部２６に沿って延在している。また、２本の端部溝３３のうち、他方の端部溝３３の直線溝３３ｃは、弧溝３３ｂの端部から直線部２３に近づく方向に直線部２６に沿って延在している。そして、これら２本の端部溝３３の直線溝３３ｃは、互いに接近する方向に延設されている。
【００３０】
２本の直線溝３５のうち、一方の直線溝３５は、直線溝３３ａの端部のうちで直線溝３７の端部３７ｂと繋がる端部と繋がっており、この直線溝３３ａの端部から直線部２５に近づく方向に直線部２３に沿って延在している。２本の直線溝３５のうち、他方の直線溝３５は、直線溝３３ａの端部のうちで直線溝３６の端部３６ｂと繋がる端部と繋がっており、この直線溝３３ａの端部から直線部２５に近づく方向に直線部２４に沿って延在している。
【００３１】
そして、交差溝３１に沿う仮想直線Ｙ１，Ｙ２を想定したとき、弁体２１の表面２１ａには、仮想直線Ｙ１，Ｙ２と圧力開放弁２０の周縁とによって囲まれる複数の領域Ｓ１，Ｓ２，Ｓ３，Ｓ４が想定される。領域Ｓ１と領域Ｓ２とは、直線部２３，２４を含む領域であり、互いに交差溝３１の交差部Ｐを対称の中心として点対称である。すなわち、領域Ｓ１と領域Ｓ２とは、交差溝３１の交差部Ｐを挟んで対向する一対の領域の組となっている。また、領域Ｓ３と領域Ｓ４は、直線部２５，２６と弧部２７，２８，２９，３０を含む領域であり、互いに交差部Ｐを対称の中心として点対称である。すなわち、領域Ｓ３と領域Ｓ４とは、交差溝３１の交差部Ｐを挟んで対向する一対の領域の組となっている。そして、弁体２１の表面２１ａに有する４つの領域Ｓ１〜Ｓ４の面積は、第１の組としての領域Ｓ３，Ｓ４の組の方が、第２の組としての領域Ｓ１，Ｓ２の組に比較して大きい。すなわち、領域Ｓ３の面積が領域Ｓ１の面積よりも大きく、領域Ｓ２の面積よりも大きい。領域Ｓ４の面積が領域Ｓ１の面積よりも大きく、領域Ｓ２の面積よりも大きい。そして、領域Ｓ３の面積と領域Ｓ４の面積とを合わせた面積が、領域Ｓ１の面積と領域Ｓ２の面積とを合わせた面積よりも大きい。
【００３２】
また、上記のように弁体２１の表面２１ａに領域Ｓ１〜Ｓ４を想定した場合、直線溝３６，３７からそれぞれ延設されている端部溝３２は、同一の領域Ｓ３に位置する。すなわち、２本の端部溝３２のうち、一方の端部溝３２の直線溝３２ｃと、他方の端部溝３２の直線溝３２ｃとが、同一の領域Ｓ３内でそれぞれ延設されている。そして、端部溝３２の直線溝３２ｃに沿って延長する仮想線Ｙ３ａと、端部溝３２の直線溝３２ｃに沿って延長する仮想線Ｙ３ｂとは、直線状に繋がる。なお、本実施形態の仮想線Ｙ３ａ，Ｙ３ｂは、端部溝３２の直線溝３２ｃを直線溝３２ｃの幅方向で二等分する線として想定される仮想線である。
【００３３】
また、上記のように弁体２１の表面２１ａに領域Ｓ１〜Ｓ４を想定した場合、直線溝３６，３７からそれぞれ延設されている端部溝３３は、同一の領域Ｓ４に位置する。すなわち、２本の端部溝３３のうち、一方の端部溝３３の直線溝３３ｃと、他方の端部溝３３の直線溝３３ｃとが、同一の領域Ｓ４内でそれぞれ延設されている。そして、端部溝３３の直線溝３３ｃに沿って延長する仮想線Ｙ４ａと、端部溝３３の直線溝３３ｃに沿って延長する仮想線Ｙ４ｂとは、直線状に繋がる。なお、本実施形態の仮想線Ｙ４ａ，Ｙ４ｂは、端部溝３３の直線溝３３ｃを直線溝３３ｃの幅方向で二等分する線として想定される仮想線である。
【００３４】
次に、本実施形態の作用について説明する。
弁体２１の開裂溝には、ケース１１の内側から加わる圧力によって応力が発生する。そして、ケース１１内の圧力が開放圧に達すると、最も応力が集中している交差部Ｐ付近の直線溝３６，３７を起点として弁体２１が開裂する。この開裂により、弁体２１は、領域Ｓ１〜Ｓ４を区画する直線溝３６，３７に沿って４つの領域Ｓ１〜Ｓ４に分断される。また、直線溝３６，３７の開裂が端部溝３２，３３及び直線溝３４，３５に繋がる端部３６ａ，３６ｂ，３７ａ，３７ｂに達すると、端部溝３２，３３及び直線溝３４，３５の開裂も始まる。
【００３５】
このとき、本実施形態では、領域Ｓ３，Ｓ４の面積を領域Ｓ１，Ｓ２の面積に比較して大きくしているため、領域Ｓ３，Ｓ４の方が領域Ｓ１，Ｓ２に比較して受圧面積が大きい。このため、弁体２１に対してケース１１の内側から加わる圧力の受圧量は、領域Ｓ３，Ｓ４の方が領域Ｓ１，Ｓ２に比較して大きくなる。
【００３６】
このように弁体２１の表面２１ａに有する開裂溝が開裂すると、弁体２１は、４つの領域Ｓ１〜Ｓ４に分断されつつ、外側にめくれ上がることによって、圧力開放弁２０には大きな開口が生じる。そして、ケース１１内の圧力は、圧力開放弁２０に生じた開口を通じてケース１１外に開放される。
【００３７】
こうして弁体２１が開裂する際には、端部溝３２，３３を延長する仮想線Ｙ３ａ，Ｙ３ｂ，Ｙ４ａ，Ｙ４ｂに沿って折れ曲がることになる。ここで、仮に仮想線Ｙ３ａ，Ｙ３ｂ，Ｙ４ａ，Ｙ４ｂ上の一部分に応力が集中すると、特に上記のように受圧面積の大きい領域Ｓ３，Ｓ４では、作用する応力が大きくなるため、弁体２１が切断されて破片が飛散するおそれがある。
【００３８】
本実施形態では、仮想線Ｙ３ａと仮想線Ｙ３ｂとが直線状に繋がるとともに、仮想線Ｙ４ａと仮想線Ｙ４ｂとが直線状に繋がるため、弁体２１が開裂する際に、弁体２１が仮想線Ｙ３ａ，Ｙ３ｂ，Ｙ４ａ，Ｙ４ｂに沿って直線状に折れ曲がるようになる。そして、弁体２１の折り曲げ線が直線状となり、折り曲げ線に作用する応力が分散されるため、折り曲げ線に沿って弁体２１が切断されにくくなる。
【００３９】
したがって、本実施形態によれば、以下に示す効果を得ることができる。
（１）仮想線Ｙ３ａ，Ｙ３ｂと仮想線Ｙ４ａ，Ｙ４ｂとがそれぞれ直線状に繋がるように端部溝３２，３３の直線溝３２ｃ，３３ｃを配置したので、折り曲げ線に沿って弁体２１が切断され難い。その結果、圧力開放弁２０の開裂に際して破片が飛散することを抑制することができる。
【００４０】
（２）端部溝３２，３３の直線溝３２ａ，３３ａと交差溝３１の直線溝３６，３７の端部３６ａ，３６ｂ，３７ａ，３７ｂとを繋げたため、圧力開放弁２０の開裂が交差溝３１から端部溝３２，３３に伝わりやすくなっている。このため、領域Ｓ３，Ｓ４での弁体２１の開放を促進させることができ、ケース１１内の圧力を迅速に開放させることができる。
【００４１】
（３）端部溝３２，３３は圧力開放弁２０の周縁に沿っているため、圧力開放弁２０の周縁に沿って圧力開放弁２０を開放させることができる。したがって、圧力開放弁２０の開口を大きくすることができ、ケース１１内の圧力を迅速に開放させることができる。
【００４２】
（４）端部溝３２，３３は、弧溝３２ｂ，３３ｂと、直線溝３２ｃ，３３ｃとを含んでいるため、圧力開放弁２０が開裂する際に、弧溝３２ｂ，３３ｂに沿って滑らかに圧力開放弁２０が折れ曲がるようになる。このため、圧力開放弁２０の開裂を促進させることができる。また、圧力開放弁２０が開裂する際に直線溝３２ｃ，３３ｃに沿って折れ曲がるようになるため、折り曲げ線に沿って切断されにくくなり破片が飛散することを抑制することができる。
【００４３】
（５）本実施形態の圧力開放弁２０の弁体２１のように、弧部を有する形状で構成されている弁体では、開口面積を大きくする等の理由により、弧部に沿う弧溝を弁体の表面に設けることが望ましい。こうした弧溝は直線溝と比較して開裂し難い。このため、弧溝の開裂が進展せずに弁体の開口面積として十分な面積が得られず、ケース内の圧力を開放させるときの迅速性が損なわれるおそれがある。本実施形態の圧力開放弁２０では、圧力開放弁２０の弧部２７，２８，２９，３０に沿う弧溝３２ｂ，３３ｂが位置する領域Ｓ３，Ｓ４の受圧面積を、領域Ｓ１，Ｓ２の受圧面積と比較して大きくしている。このため、弧溝３２ｂ，３３ｂを有する圧力開放弁２０であっても、弧溝３２ｂ，３３ｂの開裂が促進されることで領域Ｓ３，Ｓ４が外側に開き易くなる。その結果、圧力開放弁２０の開口を大きくすることができ、ケース１１内の圧力を迅速に開放させることができる。また、本実施形態では、弁体２１が端部溝３２，３３の直線溝３２ｃ，３３ｃの仮想線Ｙ３ａ，Ｙ３ｂ，Ｙ４ａ，Ｙ４ｂに沿って直線状に折れ曲がるため、圧力開放弁２０の領域Ｓ３，Ｓ４の受圧面積を大きくしても、折り曲げ線に沿って切断されにくくなり破片が飛散することを抑制することができる。
【００４４】
なお、上述の実施形態は以下のように変更して実施することもできる。
○  図３に示すように、圧力開放弁として、平行な２つの直線部２３，２４を弧部１２５，１２６で繋いだトラック形状の周縁を有する圧力開放弁１２０を採用してもよい。この形態では、端部溝３２，３３のうち、直線溝３２ａ，３３ａは圧力開放弁１２０の周縁に沿う一方、弧溝３２ｂ，３３ｂ及び直線溝３２ｃ，３３ｃは圧力開放弁１２０の周縁に沿っていない。こうした形態によっても、上記実施形態で得ることのできる効果（１）〜（４）と同様の効果を得ることができる。
【００４５】
○  上記変形例で、圧力開放弁１２０の周縁の弧部１２５，１２６に沿うように端部溝３２，３３の弧溝３２ｂ，３３ｂを延在させてもよい。この形態では、弧溝３２ｂ，３３ｂと繋がるように直線溝３２ｃ，３３ｃを配置する。こうした形態によれば、上記変形例で得ることのできる効果に加えて、上記実施形態で得ることのできる効果（５）と同様の効果を得ることができる。
【００４６】
○  図２に示す上記実施形態での圧力開放弁２０や、図３に示す上記各変形例での圧力開放弁１２０において、直線溝３４，３５を省略して、開裂溝として、交差溝３１と端部溝３２，３３のみを配置しても良い。
【００４７】
○  図２に示す上記実施形態での圧力開放弁２０や、図３に示す上記各変形例での圧力開放弁１２０において、端部溝３２，３３の直線溝３２ａ，３３ａを省略して、端部溝３２，３３として、弧溝３２ｂ，３３ｂと直線溝３２ｃ，３３ｃのみを配置しても良い。こうした形態では、端部溝３２，３３の弧溝３２ｂ，３３ｂと直線溝３６，３７の端部３６ａ，３６ｂ，３７ａ，３７ｂとが繋がるように、端部溝３２，３３を位置させることが望ましい。
【００４８】
○  図４に示すように、圧力開放弁として、一対の直線部２２３，２２４と一対の直線部２２５，２２６とを角部で繋いだ周縁を有する圧力開放弁２２０を採用してもよい。図４に例示する圧力開放弁２２０では、周縁の四辺が同一長さであり、交差溝３１の直線溝３６，３７に沿って延長する仮想直線Ｙ１，Ｙ２が圧力開放弁２２０の周縁の対角線上に位置している。すなわち、圧力開放弁２２０では、交差溝３１の交差部Ｐを挟んで対向する領域Ｓ５，Ｓ６と領域Ｓ７，Ｓ８とが同一の面積を有している。また、圧力開放弁２２０の周縁の四隅には、直線部２２５，２２６に沿って延在する直線状の端部溝２３２，２３３と、直線部２２３，２２４に沿って延在する直線状の端部溝２３４，２３５とが位置している。すなわち、この形態での端部溝２３２，２３３，２３４，２３５は、直線状の溝のみで構成されている。そして、端部溝２３４に沿って延長する仮想線Ｙ５ａ，Ｙ６ａと、端部溝２３５に沿って延長する仮想線Ｙ５ｂ，Ｙ６ｂとが、直線状に繋がる。２本の端部溝２３２のうち、一方の端部溝２３２に沿って延長する仮想線Ｙ７ａと、他方の端部溝２３２に沿って延長する仮想線Ｙ７ｂとが、直線状に繋がる。２本の端部溝２３３のうち、一方の端部溝２３３に沿って延長する仮想線Ｙ８ａと、他方の端部溝２３３に沿って延長する仮想線Ｙ８ｂとが、直線状に繋がる。こうした形態によっても、上記実施形態で得ることのできる効果（１）〜（３）と同様の効果を得ることができる。
【００４９】
○  図４に示した圧力開放弁２２０の周縁を、領域Ｓ７，Ｓ８の面積が領域Ｓ５，Ｓ６の面積よりも大きい関係にある矩形状に変更してもよい。こうした形態では、端部溝２３４，２３５を省略して、開裂溝として、交差溝３１と端部溝２３２，２３３のみを配置しても良い。要するに、互いの仮想線Ｙ７ａ，Ｙ７ｂ，Ｙ８ａ，Ｙ８ｂが直線状に繋がる端部溝２３２，２３３が、領域Ｓ５，Ｓ６の組と領域Ｓ７，Ｓ８の組とのうち、一方の領域の組の面積以上の面積を有する他方の組の領域に少なくとも延設されていればよい。
【００５０】
○  図２に示した本実施形態での圧力開放弁２０や、図３に示した圧力開放弁１２０等、図４に示した圧力開放弁２２０と周縁の形状の異なる圧力開放弁を採用する場合においても、端部溝２３２，２３３，２３４，２３５のように直線溝のみで構成される端部溝を弁体の表面に延在させてもよい。
【００５１】
○  端部溝３２，３３，２３２，２３３，２３４，２３５は、圧力開放弁２０，１２０，２２０の周縁に沿うものでなくてもよい。こうした形態によれば、上記実施形態で得ることのできる効果（１）、（２）、及び（４）と同様の効果を得ることができる。
【００５２】
○  端部溝３２，３３，２３２，２３３，２３４，２３５は、交差溝３１の直線溝３６，３７の端部３６ａ，３６ｂ，３７ａ，３７ｂに繋がっておらず、直線溝３６，３７の端部３６ａ，３６ｂ，３７ａ，３７ｂ付近に延設される形態を採用してもよい。こうした形態によれば、上記実施形態で得ることのできる効果（１）及び（２）〜（５）と同様の効果を得ることができる。
【００５３】
○  仮想線Ｙ３ａ，Ｙ３ｂ，Ｙ４ａ，Ｙ４ｂ，Ｙ５ａ，Ｙ５ｂ，Ｙ６ａ，Ｙ６ｂ，Ｙ７ａ，Ｙ７ｂ，Ｙ８ａ，Ｙ８ｂは、直線溝３２ｃ，３３ｃや端部溝２３２，２３３，２３４，２３５の幅方向の縁に沿う線であってもよい。
【００５４】
○  仮想直線Ｙ１，Ｙ２は、直線溝３６，３７の幅方向の縁に沿う線であってもよい。
○  交差溝３１を、Ｘ字状に代えて、Ｙ字状に変更してもよい。
○  弁体２１の裏面に開裂溝を設けてもよい。
【００５５】
○  開裂溝の断面形状を変更してもよい。
○  ケース１１のケース本体１３を構成するケース壁に圧力開放弁２０，１２０，２２０を設けてもよい。
【００５６】
○  ケース１１の形状を変更してもよい。例えば、ケース１１は円筒型でもよい。
○  圧力開放弁２０をケース１１とは別体部品とし、その圧力開放弁２０をケース１１に接合してもよい。接合は、例えば溶接（例えばレーザ溶接）などで行う。
【００５７】
○  電極組立体１２は、積層型に限らず、帯状の正極電極と帯状の負極電極を捲回して層状に積層した捲回型でもよい。
○  二次電池１０は、リチウムイオン二次電池であったが、これに限らず、他の二次電池であってもよい。要するに、正極活物質層と負極活物質層との間をイオンが移動するとともに電荷の授受を行うものであればよい。また、蓄電装置としてキャパシタでもよい。
【００５８】
○  二次電池１０は、車両電源装置として自動車に搭載してもよいし、産業用車両に搭載しても良い。また、定置用の蓄電装置に適用してもよい。
次に、上記実施形態及び別例から把握できる技術的思想について以下に追記する。
【００５９】
（イ）電極組立体が収容されたケースに、当該ケース内の圧力をケース外に開放させる圧力開放弁を有する蓄電装置において、前記圧力開放弁は、交差溝と、前記交差溝の端部付近に延設されている端部溝とを有し、前記交差溝に沿って延長し、前記圧力開放弁の周縁と交差する仮想直線を想定したとき、前記仮想直線と前記圧力開放弁の周縁とによって囲まれる領域であって、かつ前記交差溝の交差部分を挟んで対向する一対の領域の組が２組想定され、前記２組の一対の領域の組のうち、一方の組である第１の組の面積が他方の組である第２の組の面積以上であり、前記端部溝は、弧溝と直線溝とからなり、前記端部溝の端部のうち、前記交差溝の端部から離間する側の端部に前記直線溝が位置し、前記第１の組の１つの領域を区画する前記仮想直線に沿う前記交差溝の各端部付近には、前記端部溝が互いに接近する方向に同一の前記領域内でそれぞれ延設されており、前記端部溝に沿って延長する仮想線を想定したときに、前記仮想線は直線状に繋がることを特徴とする蓄電装置。
【００６０】
（ロ）電極組立体が収容されたケースに、当該ケース内の圧力をケース外に開放させる圧力開放弁を有する蓄電装置において、前記圧力開放弁は、交差溝と、前記交差溝の端部付近に延設されている直線状の端部溝とを有し、前記交差溝に沿って延長し、前記圧力開放弁の周縁と交差する仮想直線を想定したとき、前記仮想直線と前記圧力開放弁の周縁とによって囲まれる領域であって、かつ前記交差溝の交差部分を挟んで対向する一対の領域の組が２組想定され、前記２組の一対の領域の組のうち、一方の組である第１の組の面積が他方の組である第２の組の面積以上であり、前記第１の組の１つの領域を区画する前記仮想直線に沿う前記交差溝の各端部付近には、前記端部溝が互いに接近する方向に同一の前記領域内でそれぞれ延設されており、前記端部溝に沿って延長する仮想線を想定したときに、前記仮想線は直線状に繋がることを特徴とする蓄電装置。
【符号の説明】
【００６１】
１０…二次電池、１１…ケース、１２…電極組立体、１３…ケース本体、１４…蓋体、２０，１２０，２２０…圧力開放弁、２１…弁体、２１ａ…表面、２３，２４，２５，２６，２２３，２２４，２２５，２２６…直線部、２７，２８，２９，３０，１２５，１２６…弧部、３１…交差溝、３２，３３，２３２，２３３，２３４，２３５…端部溝、３２ａ，３２ｃ，３３ａ，３３ｃ，３６，３７…直線溝、３２ｂ，３３ｂ…弧溝、３６ａ，３６ｂ，３７ａ，３７ｂ…端部、Ｐ…交差部、Ｓ１，Ｓ２，Ｓ３，Ｓ４，Ｓ５，Ｓ６，Ｓ７，Ｓ８…領域、Ｙ１，Ｙ２…仮想直線、Ｙ３ａ，Ｙ３ｂ，Ｙ４ａ，Ｙ４ｂ，Ｙ５ａ，Ｙ５ｂ，Ｙ６ａ，Ｙ６ｂ，Ｙ７ａ，Ｙ７ｂ，Ｙ８ａ，Ｙ８ｂ…仮想線。
【図１】
2015088382.tif 000003
【図２】
2015088382.tif 000004
【図３】
2015088382.tif 000005
【図４】
2015088382.tif 000006
【図５】
2015088382.tif 000007
【図６】
2015088382.tif 000008